(57)【特許請求の範囲】
【請求項１】
調整ねじ（１３；１２６；２２６；３２６）が一方の構成部分（１０；１１０；２１１）とは軸方向で位置固定されて回動可能に連結されておりかつ他方の構成部分（１１；１１１；２１０）とはねじ山を介して連結されている形式の、前照灯の形の照明装置のための、調整ねじを介して互いに調整可能な少なくとも２つの構成部分を有する装置において、
他方の構成部分（１１；１１１；２１０）にか又は該他方の構成部分（１１１）と結合された構成部材（１３２；３３２）に、開いたねじ山付きシェル（１６；１３５；２３５；３３５）が構成されており、かつ、前記他方の構成部分（１１；１１１；２１０）にか又は該他方の構成部分（１１１）と結合された前記構成部材（１３２；３３２）には、Ｕ形に形成された弾性的な保持部材（１９；１４０；２４０；３４０）が着脱可能に固定されており、該Ｕ形保持部材が一方の脚片（２０；１４３；３４３）でもって前記他方の構成部分（１１；１１１；２１０）の１区分（１７；２３４）にか又は該他方の構成部分（１１１）と結合された前記構成部材（１３２；３３２）に係合し、また他方の脚片（２２；１４１；３４１）でもって前記調整ねじ（１３；１２６；２２６；３２６）に係合して該調整ねじの外周の一部分を前記ねじ山付きシェル（１６；１３５；２３５；３３５）にプレロードをかけて接触させた状態に維持していることを特徴とする、調整ねじを介して互いに調整可能な少なくとも２つの構成部分を有する装置。
【請求項２】
他方の構成部分（１１；１１１；２１０）又は該構成部分と結合された構成部材（１３２；２３２；３３２）がプラスチックから成る、請求項１記載の装置。
【請求項３】
Ｕ形保持部材（１９；１４０；２４０；３４０）が金属から成っている、請求項１又は２記載の装置。
【請求項４】
Ｕ形保持部材（１９；１４０；２４０）の両脚片（２０，２２；１４１，１４３；３４１，３４３）が調整ねじ（１３；１２６；２２６）のほぼ長手方向に延びており、かつＵ形保持部材（１９；１４０；２４０）がその頂点区域に、前記調整ねじ（１３；１２６；２２６）を通すための開口（１４４）を有している、請求項１から３までのいずれか１項記載の装置。
【請求項５】
Ｕ形保持部材（３４０）の両脚片（３４１，３４３）が調整ねじ（３２６）の長手方向に対して直角な横方向に延びている、請求項１から３までのいずれか１項記載の装置。
【請求項６】
Ｕ形保持部材（１９；１４０；２４０；３４０）が、他方の構成部分（１１；１１１；２１０）の１区分（１７；１３４；２３４）において、前記Ｕ形保持部材の組付け方向（１１７）とは逆方向に運動するのを防止されている、請求項１から５までのいずれか１項記載の装置。
【請求項７】
Ｕ形保持部材（１４０；２４０；３４０）の位置が、該Ｕ形保持部材と他方の構成部分（１１１；２１０）の１区分（１３４；２３４）との間の係止継手（１５０，１５２）によって、確保されている、請求項７記載の装置。
【請求項８】
Ｕ形保持部材（１４０；２４０；３４０）が、他方の構成部分（１１１；２１０）の１区分（１３４；２３４）に侵入するエッジの鋭い突起（１４９）を有している、請求項６記載の装置。
【請求項９】
他方の構成部分（１１；１１１；２１０）の１区分（１７；１３４；２３４）には、Ｕ形保持部材（１９；１４０；２４０；３４０）を該Ｕ形保持部材の組付け方向に沿って案内するためのガイド部材（１４７）が配置されている、請求項１から８までのいずれか１項記載の装置。
【請求項１０】
調整ねじ（１３；１２６；２２６；３２６）に係合する脚片（２２；１４１；２４１）が、前記調整ねじに平行に延在する凹面状窪み（１４６）を有し、該凹面状窪み内に前記調整ねじの外周の一部が接触している、請求項１から９までのいずれか１項記載の装置。
【請求項１１】
調整ねじ（１３；１２６；２２６；３２６）の組付け方向（１１７）で見てねじ山付きシェル（１６；１３５；２３５）の前方に他方の構成部分（１１；１１１；２１０）又は、該構成部分と結合された構成部材（１３２；２３２；３３２）の壁部（１３７）が配置されており、該壁部が、半径方向遊びをもって前記調整ねじを貫通させる開口（１３８）を有している、請求項１から１０までのいずれか１項記載の装置。
【請求項１２】
調整ねじを介して互いに調整可能な少なくとも２つの構成部分を有する装置が照明装置として構成されており、該照明装置が、一方の構成部分として保持体（１１０；２１０）を有し、該保持体に対して、レフレクタ（１１１；２１１）として構成された他方の構成部分が相対的に調整可能である、請求項１から１１までのいずれか１項記載の装置。
【請求項１３】
保持体がケーシング（１１０；２１０）として構成されており、該ケーシングの内部にレフレクタ（１１１；２１１）が調整可能に配置されており、しかも調整ねじ（１２６；２２６；３２６）の終端区域（１２７；２２７；３２７）が、該調整ねじを作動するために前記ケーシング（１１０；２１０）から突出している、請求項１２記載の装置。
【請求項１４】
調整ねじ（１２６）が保持体（１１０）とは軸方向で位置固定されて回動可能に連結されており、かつレフレクタ（１１１）又は該レフレクタと結合された構成部材（１３２）がねじ山付きシェル（１３５）を有している、請求項１２又は１３記載の装置。
【請求項１５】
調整ねじ（２２６）が、レフレクタ（２１１）又は該レフレクタに結合された構成部材（２３２）とは軸方向に位置固定されて回動可能に連結されており、かつ保持体（２１０）がねじ山付きシェル（２３５）を有している、請求項１２又は１３記載の装置。
【発明の詳細な説明】
【０００１】
【産業上の利用分野】
本発明は、調整ねじが一方の構成部分とは軸方向で位置固定されて回動可能に連結されておりかつ他方の構成部分とはねじ山を介して連結されている形式の、前照灯の形の照明装置のための、調整ねじを介して互いに調整可能な少なくとも２つの構成部分を有する装置に関するものである。
【０００２】
【従来の技術】
前記形式の装置はドイツ連邦共和国特許出願公開第３５３３１１８号明細書に基づいて公知である。この公知の装置は照明装置として構成されておりかつケーシングとしての一方の構成部分を有し、該ケーシング内には、レフレクタとしての別の構成部分が旋回可能に配置されている。前記ケーシングには調整ねじが軸方向で位置固定されて回動可能に取付けられている。レフレクタには支持部材が固定されており、該支持部材には、前記調整ねじと協働する雌ねじ山が形成されている。この公知技術では前記支持部材は、調整ねじの縦軸線を含む１平面で分割された２つの半割部から成っている。支持部材の各半割部の凹面状窪み内に雌ねじ山が形成されている。該支持部材はプラスチックから成りかつ該支持部材の両半割部は膜ヒンジを介して結合されている。調整ねじを組付ける場合、前記支持部材の両半割部はまだ組合わされていないので、調整ねじは支持部材に対して任意に軸方向に移動することができ、従って例えば、レフレクタとして構成された他方の構成部分を正しく調整するのに必要な位置へ迅速にもたらすことができる。この位置において支持部材の両半割部は組合わされ、かつ半径方向で係止継手を介して互いに結合されるので、両半割部の雌ねじ山は調整ねじの雄ねじ山と協働する。しかしながら、この公知の装置における欠点は、支持部材の両半割部が著しく正確に組合わされねばならないことである。さもなければ両半割部の雌ねじ山が整合した位置に位置せず、従って調整ねじと正しく協働することができず、雌ねじ山に破損が生じ、ひいては支持部材自体が使用不能になるからである。レフレクタに難動傾向又はロック傾向がある場合、それにも拘らず調整ねじを回動させるならば、前記支持部材の雌ねじ山はやはり破損することになる。その他の点では、膜ヒンジが薄膜であるため支持部材の製造はシビアな問題を孕んでいる。従って冒頭で述べた形式の装置は機能の確実性の点及び製造の点でなお多分に改良の余地を残している。
【０００３】
【発明が解決しようとする課題】
本発明の課題は、例えばレフレクタが動き難く或いはロックした場合でも調整ねじの雄ねじ山と協働する雌ねじ山の破損を惹起することがなく、機能上の確実性を向上させるように装置構造を改良し、しかも従来の製造上の問題点を解消することである。
【０００４】
【課題を解決するための手段】
前記課題を解決する本発明の構成手段は、他方の構成部分にか又は該構成部分と結合された構成部材に、開いたねじ山付きシェルが構成されており、かつ、前記他方の構成部分にか又は該構成部分と結合された構成部材には、Ｕ形に形成された弾性的な保持部材が着脱可能に固定されており、該Ｕ形保持部材が一方の脚片でもって前記他方の構成部分の１区分にか又は該構成部分と結合された構成部材に係合し、また他方の脚片でもって前記調整ねじに係合して該調整ねじの外周の一部分を前記ねじ山付きシェルにプレロードをかけて接触させた状態に維持している点にある。
【０００５】
【作用】
従来技術に対比して本発明の装置は、一方の構成部分にだけねじ山付きシェルを構成すればよく、調整ねじをねじ山付きシェル内に接触させて保持するＵ形保持部材にはねじ山を必要としないという利点を有している。従って調整ねじを常に正しく雌ねじ山と協働させることが保証されている。ねじ山の配設されている構成部分が動き難かったり或いはロックしたりした場合に調整ねじを回動させるようなことがあっても、保持部材は弾性的に幾分拡開するので、調整ねじの雄ねじ山は、ねじ山付きシェルの雌ねじ山ともはや噛み合わず、該雌ねじ山が破損することはない。Ｕ形保持部材は簡単に製造可能である。
【０００６】
本発明の装置の有利な実施態様は請求項２以降に記載した通りである。調整ねじに係合するＵ形保持部材の脚片を請求項９に記載したように構成することによって、Ｕ形保持部材と調整ねじとの間には面接触が生じ、従ってねじ山の損傷は確実に避けられる。請求項１０に記載したように構成した場合には、調整ねじが開口内をガイドされており、従って強制的にほぼねじ山付きシェルの区域に位置しているので、調整ねじとＵ形保持部材との組付けは簡便になる。
【０００７】
【実施例】
次に図面に基づいて本発明の装置の２実施例を詳説する。
【０００８】
図１に示した装置は第１構成部分１０と第２構成部分１１とを有し、両構成部分相互の相対距離は調整ねじ１３によって可変である。調整ねじ１３は第１構成部分１０に回動可能に支承されているが、しかし軸方向では、つまり調整ねじの縦軸線１４に沿っては位置固定されている。第２構成部分１１には、開いたねじ山付きシェル１６が構成されており、該ねじ山付きシェルは１つのねじ山円周の約１／２の雌ねじ山部分を有している。少なくともねじ山付きシェル１６を有している第２構成部分１１の区域はプラスチック或いは金属、例えばアルミニウム又は亜鉛、から成っていて鋳型部品として構成することができる。第２構成部分１１は、ねじ山付きシェル１６のねじ山から離反した方の側には扁平区分１７を有している。また装置は保持部材１９を有し、該保持部材はＵ形に構成されており、かつ一方の脚片２０でもって第２構成部分１１の扁平区分１７に係合し、他方の脚片２２でもって調整ねじ１３のシャンクに係合している。Ｕ形保持部材１９は弾性材料、殊に有利にはばね鋼から成り、かつＵ形の両脚片２０，２２は、第２構成部分１１に組付けられた状態では弾性的に拡開されている。脚片２２によって調整ねじ１３のシャンクは、ねじ山付きシェル１６に接触した状態に保持されるで、調整ねじ１３はねじ山付きシェル１６のねじ山と協働する。
【０００９】
Ｕ形保持部材１９の両脚片２０，２２は調整ねじ１３の縦軸線１４に対してほぼ平行に延在し、かつ、脚片の自由端部２３は第１構成部分１０の方に向いている。第１構成部分１０から離反する方に向いた、Ｕ形保持部材１９の頂点区域には、調整ねじ１３を通すための開口２５が穿設されている。両脚片２０，２２の自由端部２３は、調整ねじ１３に対して半径方向外向きに屈曲されている。第１構成部分１０から離反する方に向いた、扁平区分１７の終端区域は、その端部の方へ向かって斜めに面取りされているので、Ｕ形保持部材１９の両脚片２０，２２の半径方向外向きに屈曲された自由端部２３と相俟って該保持部材１９の簡便な組付けが可能になる。第２構成部分１１はガイド機構２６内に摺動可能に配置されているか、或いは図１に鎖線で示したように、支承点２８に旋回可能に支承されていてもよい。調整ねじ１３の回動によって第２構成部分１１は第１構成部分１０に対して相対的に運動し、それに伴って軸方向の相互距離が変化される。
【００１０】
装置を組立てる場合には先ず調整ねじ１３が第１構成部分１０に装着され、かつ、第２構成部分１１が、第１構成部分１０に対するほぼ所望の位置にもたらされるが、この場合Ｕ形保持部材１９はまだ組付けられていないので、第２構成部分１１は調整ねじ１３には無関係に動かすことができる。第２構成部分１１の当該位置において調整ねじ１３上に、第１構成部分１０に固定された端部とは反対側のシャンク端部からＵ形保持部材１９が、その両脚片２０，２２を第１構成部分１０の方へ向けて嵌装される。第２構成部分１１の扁平区分１７上に乗上げて摺動する際に両脚片２０，２２は弾性的に拡開されるので、調整ねじ１３はねじ山付きシェル１６に接触した状態に維持される。次いで第２構成部分１１はただ調整ねじ１３を回動することによって調整されるにすぎない。第２構成部分１１に難動傾向又はロック傾向が生じている場合に調整ねじ１３を回動させると、ねじ山付きシェル１６から半径方向力が調整ねじ１３に対して作用するので、これによって両脚片２０，２２は弾性的に撓められ、かつ調整ねじ１３はねじ山付きシェル１６の外に幾分はみ出ることになるので、該調整ねじ１３のねじ山はもはや完全にはねじ山付きシェル１６のねじ山とは噛合わず、従ってねじ山の損傷は防止され、或いは少なくとも低減される。
【００１１】
図２に示した本発明による装置の第２実施例では、該装置は具体的に、例えば前照灯の形の照明装置として構成されている。この場合、前照灯は第１構成部分として保持ケーシング１１０を有し、該保持ケーシングはプラスチック又はその他適当な材料から成っている。保持ケーシング１１０の内部には第２構成部分としてのレフレクタ１１１が、前記保持ケーシング１１０に対して相対的に少なくとも水平軸線１１３を中心として旋回可能に配置されている。レフレクタ１１１内には光源１１４が嵌装されている。保持ケーシング１１０はその前面側に、投光ガラス１１６によって遮蔽された開口を有し、前記投光ガラス１１６は、レフレクタ１１１によって反射された光ビームに影響を及ぼすための光学エレメントを有することができるが、また透明な板ガラスとして構成されていてもよい。光ビーム方向１１７にレフレクタ１１１から離隔してスクリーン１１９が配置されており、また該スクリーンからやはり光ビーム方向１１７に離隔してレンズ１２０が配置されており、該レンズによって前記スクリーン１１９の上縁１２２が、前照灯によって発生された光分布の明暗境界として結像される。スクリーン１１９は、レフレクタ１１１の前縁１２３に固定された支持体１２５に構成されており、該支持体はレンズ１２０用の保持器として同時に併用される。
【００１２】
調整ねじ１２６は光ビーム方向１１７に対してほぼ平行に延在し、かつ前記光ビーム方向１１７に向いたヘッド１２７は、ケーシング壁１２９内に穿設された開口１２８を通って保持ケーシング１１０から突出し、しかも該ヘッド１２７はケーシング壁１２９の外面に接触している。調整ねじ１２６は、ケーシング内部から該調整ねじ上に嵌装されてケーシング壁１２９の内面に当接した弾性部材１３１によって軸方向で固定され、しかも回動可能に保持されている。レフレクタ１１１には支持体部分１３２が結合されており、該支持体部分はプラスチック又は金属から成り、かつ、レフレクタ１１１の下側区域には、調整ねじ１２６に対してほぼ平行に延びる平行区分１３４を有し、該平行区分には、レフレクタ１１１から離反する半径方向に向かって開いたねじ山付きシェル１３５が形成されている。レフレクタ１１１の旋回軸を形成する水平軸線１１３は、該レフレクタの上側区域に配置されている。支持体部分１３２は、プラスチック製又は金属製のレフレクタ１１１と一体に構成されていてもよい。ねじ山付きシェル１３５はほぼ半円形横断面を有しかつ雌ねじ山を有している。この場合、雌ねじ山はねじ山付きシェル１３５の内部で例えば約９０°の角度にわたっている。光ビーム方向１１７に向いた方の、支持体部分１３２の平行区分１３４の終端域には、調整ねじ１２６に対してほぼ垂直に延びる壁部１３７が付設されており、該壁部は調整ねじ１２６よりも幾分大きな断面積の開口１３８を有し、しかも前記壁部１３７は、調整ねじ１２６が前記開口１３８を通過した後にねじ山付きシェル１３５の領域に位置するように配置されている。光ビーム方向１１７に向いた方の前記開口１３８の終端域は円錐形に拡張されているので、調整ねじ１２６を開口１３８内に容易に導入することが可能である。
【００１３】
調整ねじ１２６上には、保持ケーシング１１０の内側からＵ形状に構成された保持部材１４０が嵌装されており、該Ｕ形保持部材の両脚片１４１，１４３は光ビーム方向１１７に向いている。Ｕ形保持部材１４０は弾性材料、殊に有利にはばね鋼から成っている。Ｕ形保持部材１４０の下部脚片１４１は調整ねじ１２６に係合し、また上部脚片１４３は、支持体部分１３２の平行区分１３４の、ねじ山付きシェル１３５から離反した方の側に係合する。下部脚片１４１は調整ねじ１２６寄りに、ねじ山のない平滑な表面を有している。Ｕ形保持部材１４０の両脚片１４１，１４３は、組付けられた状態では弾性的に互いに拡開されているので、調整ねじ１２６はねじ山付きシェル１３５内に接触した状態に保持される。両脚片１４１，１４３の自由端域は調整ねじ１２６に対して半径方向外向きに屈曲されている。また、光ビーム方向１１７とは逆向きの、平行区分１３４の終端域は調整ねじ１２６の方に向かって斜めに面取りされているので、両脚片１４１，１４３の半径方向外向きに屈曲された自由端部と相俟ってＵ形保持部材１４０の組付けが簡便になる。光ビーム方向１１７とは逆向きの、Ｕ形保持部材１４０の頂点区域は、調整ねじ１２６を通すための開口１４４を有している。
【００１４】
調整ねじ１２６に係合する方の、Ｕ形保持部材１４０の下部脚片１４１は、図３に示したように凹面状窪み１４６を有し、該凹面状窪みは調整ねじ１２６に対して平行に延在し、かつ、該凹面状窪みには、調整ねじ１２６の円周の一部分が接触している。これによって、下部脚片１４１と調整ねじ１２６との間には線状の接触が生じ、従って、過度に高い面圧に基づく調整ねじ１２６のねじ山損傷が避けられる。
【００１５】
やはり図３に示したように、平行区分１３４に係合する方の、Ｕ形保持部材１４０の上部脚片１４３のためのガイド機構が設けられている。該ガイド機構は、調整ねじ１２６に対して平行に延在していて上部脚片１４３の両側に配置された２つの条材１４７によって形成されており、両条材はＬ形横断面に構成されておりかつ上部脚片１４３の両縦縁に沿って両側から被さっている。この場合、上部脚片１４３の半径方向外向きに屈曲された自由終端域は、両条材１４７間に解放された区域と同じ幅しか有していない。
【００１６】
Ｕ形保持部材１４０は、光ビーム方向１１７に相当する該Ｕ形保持部材の組付け方向とは逆向きに運動するのを防止されているのが有利である。さもないと、光ビーム方向１１７とは逆向きに該Ｕ形保持部材に対して大きな力が作用した場合に該Ｕ形保持部材が外れ、ひいては支持体部分１３２と調整ねじ１２６との連結が解離されることになるからである。Ｕ形保持部材１４０の位置確保は上部脚片１４３を介して行なわれ、該上部脚片は、図４に示したように、該上部脚片から突出成形されて支持体部分１３２の接触面の方に向いた鉤爪１４９を有し、該鉤爪の自由端はＵ形保持部材１４０の組付け方向とは逆向きに向いている。該鉤爪１４９は、プラスチックから成る支持体部分１３２内へ爪を立てて鉤止めし、Ｕ形保持部材がその組付け方向とは逆向きに運動するのを阻止している。図５に示した変化態様ではＵ形保持部材１４０の位置確保は係止機構によって行なわれる。この場合上部脚片１４３は切欠き１５０を有し、また支持体部分１３２の平行区分１３４は、上部脚片１４３の方に向いた突起１５２を有し、該突起はＵ形保持部材１４０の終端位置で前記切欠き１５０内へ係合し、これによってＵ形保持部材１４０の位置を確保する。図示を省いた変化態様では、前記突起１５２をＵ形保持部材１４０の上部脚片１４３に配置し、前記切欠き１５０を支持体部分１３２の平行区分１３４内に配置して、これによって前記と同様にＵ形保持部材１４０の位置確保を達成することも可能である。
【００１７】
調整ねじ１２６を組付ける場合、該調整ねじは先ず、保持ケーシング１１０の内側から前記調整ねじ上に挿嵌された弾性部材１３１によって前記保持ケーシング１１０に固定される。次いでレフレクタ１１１が支持体部分１３２と一緒に背面側から光ビーム方向１１７で保持ケーシング１１０内へ挿入され、その際、調整ねじ１２６は支持体部分１３２の壁部１３７内の開口１３８を通って導入される。この場合調整ねじ１２６は半径方向遊びをもって前記開口１３８を貫通しているので、該調整ねじは未だねじ山付きシェル１３５と係合していない。調整ねじ１２６と支持体部分１３２との間の相対位置は必要に応じて近似的に調整される。この調整位置でＵ形保持部材１４０が組付けられ、これによって調整ねじ１２６とねじ山付きシェル１３５は噛合い連結される。レフレクタ１１１を更に正確に調整するために調整ねじ１２６が回動されて、これに伴って支持体部分１３２が動かされ、その際レフレクタ１１１はその水平軸線１１３を中心として旋回する。
【００１８】
レフレクタ１１１の運動を制限するために、保持ケーシング１１０内には、レフレクタ１１１の終端位置において支持体部分１３２を当接させるストッパ１５３を設けておくことも可能である。支持体部分１３２がストッパ１５３に当接しているのに、調整ねじ１２６が更に回動されると、調整ねじ１２６に対して、ねじ山によって生じる半径方向力が作用し、該半径方向力によって調整ねじ１２６はねじ山付きシェル１６から離間させられ、それによってＵ形保持部材１４０の両脚片１４１，１４３が弾性的に拡開され調整ねじ１２６はねじ山付きシェル１３５から幾分離脱するので、該調整ねじのねじ山は最早完全にはねじ山付きシェル１３５のねじ山と噛合わず、従ってねじ山の損傷は防止され、或いは少なくとも低減される。
【００１９】
図２に示した照明装置の変化実施態様を示す図６では、調整ねじ２２６は、保持ケーシング２１０内に配置された終端域２５３において、レフレクタ２１１と、又は該レフレクタと結合された支持体部分２３２と回動可能に、しかし軸方向では位置固定的に連結されている。調整ねじ２２６とレフレクタ２１１又は支持体部分２３２との間の連結は例えばボールジョイント２５５によって行なわれる。ケーシング壁２２９には開口２２８が設けられており、該開口の縁部にはケーシング壁２２９から内向きに平行区分２３４が張出しており、該平行区分はねじ山付きシェル２３５を有し、かつその他の点では第２実施例について説明したのと同様に構成されている。調整ねじ２２６のヘッド２２７は、該調整ねじを作動するために保持ケーシング２１０から突出している。平行区分２３４上には、第２実施例の場合と同様に構成されたＵ形保持部材２４０が嵌装されている。本実施態様では回動時に調整ねじ２２６は支持体部分２３２と一緒に軸方向に移動される。
【００２０】
図２の照明装置の別の変化実施態様として図示した図７では、Ｕ形保持部材３４０の両脚片３４１，３４３は調整ねじ３２６に対して直角な横方向に配置されている。この場合、該Ｕ形保持部材３４０並びに支持体部分２３２及びねじ山付きシェル３３５は、前記実施例又はその変化態様について記載したように構成することができる。
【図面の簡単な説明】
【図１】本発明による装置の第１実施例の断面図である。
【図２】照明装置として構成された本発明による装置の第２実施例の縦断面図である。
【図３】図２のＩＩＩ−ＩＩＩ線に沿った断面図である。
【図４】図２において鎖線で囲んだ装置部分ＩＶの拡大図である。
【図５】図２の装置部分ＩＶの変化態様図である。
【図６】図２に示した装置の変化実施態様図である。
【図７】装置の別の変化実施態様を図２のＩＩＩ−ＩＩＩ線に沿って断面した断面図である。
【符号の説明】
１０    第１構成部分、  １１    第２構成部分、  １３    調整ねじ、  １４    縦軸線、  １６    ねじ山付きシェル、  １７    扁平区分、  １９    Ｕ形の保持部材、  ２０    Ｕ形の一方の脚片、  ２２    Ｕ形の他方の脚片、２３    自由端部、  ２５    開口、  ２６    ガイド機構、  ２８    支承点、  １１０    第１構成部分としての保持ケーシング、  １１１    第２構成部分としてのレフレクタ、  １１３    水平軸線、  １１４    光源、  １１６投光ガラス、  １１７    光ビーム方向、  １１９    スクリーン、  １２０    レンズ、  １２２    上縁、  １２３    前縁、  １２５    支持体、  １２６    調整ねじ、  １２７    ヘッド、  １２８    開口、  １２９    ケーシング壁、  １３１    弾性部材、  １３２    支持体部分、  １３４    平行区分、  １３５    ねじ山付きシェル、  １３７    壁部、  １３８    開口、  １４０    Ｕ形保持部材、  １４１    下部脚片、  １４３    上部脚片、１４４    開口、  １４６    凹面状窪み、  １４７    条材、  １４９    鉤爪、  １５０    切欠き、  １５２    突起、  １５３    ストッパ、  ２１０    保持ケーシング、  ２１１    レフレクタ、  ２２６    調整ねじ、  ２２７    ヘッド、  ２２８    開口、  ２２９    ケーシング壁、  ２３２    支持体部分、  ２３４    平行区分、  ２３５    ねじ山付きシェル、  ２４０Ｕ形保持部材、  ２５３    終端域、  ２５５    ボールジョイント、  ３２６    調整ねじ、  ３３２    支持体部分、  ３３５    ねじ山付きシェル、
３４０    Ｕ形保持部材、  ３４１，３４３    脚片
【図１】
0003549553.tif 000002
【図２】
0003549553.tif 000003
【図３】
0003549553.tif 000004
【図４】
0003549553.tif 000005
【図５】
0003549553.tif 000006
【図６】
0003549553.tif 000007
【図７】
0003549553.tif 000008